(57)【特許請求の範囲】
【請求項１】
光モジュールを挿入する開口部と、
前記光モジュールの有する係合凸部に係合する係合穴を有する弾性片と、
前記開口部に設けられ、前記弾性片を反らせて前記係合穴から前記係合凸部を解除する解除用ボタンと、を有し、
前記解除用ボタンは、前記開口部に沿ったスライド動作により前記弾性片を反らせる、光モジュール用ケージ。
【請求項２】
前記弾性片は第１の解除部を有し、
前記解除用ボタンは前記第１の解除部に係合する第２の解除部を有し、
前記解除用ボタンは、前記第１と第２の解除部の係合を介して前記弾性片を反らせる、請求項１記載の光モジュール用ケージ。
【請求項３】
前記第１の解除部は穴であり、前記第２の解除部は凸部である、請求項２記載の光モジュール用ケージ。
【請求項４】
前記開口部は切欠き部を有し、前記解除用ボタンは前記切欠き部に沿って前記スライド動作をする、請求項１から３の内の１項記載の光モジュール用ケージ。
【請求項５】
前記光モジュールはＳＦＰトランシーバを含む、請求項１から４の内の１項記載の光モジュール用ケージ。
【請求項６】
請求項１から５の内の１項記載の光モジュール用ケージを実装する通信装置。
【請求項７】
筐体を有し、前記筐体の表面に前記開口部を有する、請求項６記載の通信装置。
【請求項８】
前記光モジュール用ケージを複数実装する、請求項６または７記載の通信装置。
【請求項９】
光モジュール用ケージの有する弾性片の有する係合穴と、光モジュールの有する係合凸部との係合の解除方法において、
前記光モジュールを挿入する開口部に設けられた解除用ボタンを前記開口部に沿ってスライド動作し、
前記スライド動作により前記弾性片を反らせて前記係合穴から前記係合凸部を解除する、係合の解除方法。
【請求項１０】
前記弾性片は第１の解除部を有し、
前記解除用ボタンは前記第１の解除部に係合する第２の解除部を有し、
前記スライド動作は、前記第１と第２の解除部の係合を介して前記弾性片を反らせる、請求項９記載の係合の解除方法。
【発明の詳細な説明】
【技術分野】
【０００１】
本発明は、通信機器に光モジュールを着脱自在に固定する光モジュール用ケージに関する。
【背景技術】
【０００２】
光ファイバによる光通信を行うために、光電変換を行う発光素子や受光素子を備えた光トランシーバモジュールが知られている。このような光モジュールには、発光素子や受光素子を含む光ユニットがケース内に内蔵され、基板上に設置されたケージ内に着脱可能に装着されるように構成されているタイプのものがある。ケージ内には基板に接続された電気コネクタが設けられており、光モジュールがケージ内に装着されたときに、光モジュールの接続端子がその電気コネクタに接続されるように構成されている。このように構成された光モジュールは、光ファイバとの間で送受する光信号と、基板との間で送受する電気信号とを互いに変換することで光通信を可能にしている。
【０００３】
各社から提供される光トランシーバモジュールに互換性を持たせるために、ＳＦＰ（Ｓｍａｌｌ  Ｆｏｒｍ−ｆａｃｔｏｒ  Ｐｌｕｇｇａｂｌｅ）トランシーバのＭＳＡ（Ｍｕｌｔｉ  Ｓｏｕｒｃｅ  Ａｇｒｅｅｍｅｎｔ）と呼ばれる標準規格が業界標準化団体によって設けられている。これにより、ＳＦＰトランシーバとこれが装着されるケージの形状や寸法が規定されている。このＳＦＰのＭＳＡ規格によれば、光トランシーバの底面に突起状のロック部が設けられ、ケージにはそのロック部が係止する係止穴が形成されたばね板部が設けられる。
【０００４】
このため、光モジュールがケージ内に装着されたときには、光モジュールのロック部がケージの係止穴に係止され、光モジュールをケージ内にロックすることができる。一方、光モジュールをケージから取り外す際には、何らかの手段によってロック部を係止穴から外してロック解除を行う必要がある。この種の光モジュール用ケージとして、例えば特許文献１には、ロック解除をするための機構を備えた構造が開示されている。
【先行技術文献】
【特許文献】
【０００５】
【特許文献１】特開２００５−５７１２８号公報
【発明の概要】
【発明が解決しようとする課題】
【０００６】
特許文献１に開示された光モジュール用ケージは、ロック解除をするための機構として、ゲージの側面に解除レバーを有する。この解除レバーを引くことで、光モジュールのロック部をケージの係止穴から外してロック解除を行うことができる。
【０００７】
しかしながら、特許文献１の構成は、解除レバーがケージの側面に設けられているため、複数のケージを横並びに密着させて並べるなどの高密度実装を行う連結型ＳＦＰトランシーバ用ケージへ、適用することはできない。また、ケージの光モジュールの挿入口のみを通信装置から露出させ、ケージの側面や上下面は通信装置の筐体内に隠して外部に露出させない構成の場合、解除レバーがケージの側面に設けられた特許文献１の構成を適用すると、解除レバーを操作するためには通信装置の運用を停止して筐体を外す必要がある。
【０００８】
本発明は、上記の課題に鑑みてなされたものであり、その目的は、光モジュールの実装密度に依らずに、運用中の通信装置から光モジュールを取り外すことのできる光モジュール用ケージを提供することにある。
【課題を解決するための手段】
【０００９】
本発明による光モジュール用ケージは、光モジュールを挿入する開口部と、前記光モジュールの有する係合凸部に係合する係合穴を有する弾性片と、前記開口部に設けられ、前記弾性片を反らせて前記係合穴から前記係合凸部を解除する解除用ボタンと、を有し、前記解除用ボタンは、前記開口部に沿ったスライド動作により前記弾性片を反らせる。
【００１０】
本発明による通信装置は、光モジュール用ケージを実装し、前記光モジュール用ケージは、光モジュールを挿入する開口部と、前記光モジュールの有する係合凸部に係合する係合穴を有する弾性片と、前記開口部に設けられ、前記弾性片を反らせて前記係合穴から前記係合凸部を解除する解除用ボタンと、を有し、前記解除用ボタンは、前記開口部に沿ったスライド動作により前記弾性片を反らせる。
【００１１】
本発明による係合の解除方法は、光モジュール用ケージの有する弾性片の有する係合穴と、光モジュールの有する係合凸部との係合の解除方法において、前記光モジュールを挿入する開口部に設けられた解除用ボタンを前記開口部に沿ってスライド動作し、前記スライド動作により前記弾性片を反らせて前記係合穴から前記係合凸部を解除する。
【発明の効果】
【００１２】
本発明によれば、光モジュールの実装密度に依らずに、運用中の通信装置から光モジュールを取り外すことのできる光モジュール用ケージを提供することができる。
【図面の簡単な説明】
【００１３】
【図１】本発明の第１の実施形態の光モジュール用ケージの構造を示す図である。
【図２】本発明の第２の実施形態の光モジュール用ケージの構造を示す図である。
【図３】本発明の第２の実施形態の光モジュール用ケージの解除用ボタンを図示しない構造を示す図である。
【図４】本発明の第２の実施形態の光モジュール用ケージの解除用ボタンの構造を示す図である。
【図５】本発明の第２の実施形態の光モジュール用ケージの係合を解除する様子を示す図である。
【図６】本発明の第２の実施形態の光モジュール用ケージの係合の様子を示す図である。
【図７】本発明の第２の実施形態の光モジュール用ケージの係合を解除する様子を示す図である。
【図８】本発明の第２の実施形態の光モジュール用ケージを複数実装した構造の例を示す図である。
【図９】本発明の第２の実施形態の通信装置の構造を示す図である。
【図１０】本発明の第２の実施形態の通信装置の構造を示す図である。
【図１１】本発明の第３の実施形態の光モジュール用ケージの構造を示す図である。
【図１２】本発明の第３の実施形態の光モジュール用ケージの解除用ボタンを図示しない構造を示す図である。
【図１３】本発明の第３の実施形態の光モジュール用ケージの解除用ボタンの構造を示す図である。
【図１４】本発明の第４の実施形態の光モジュール用ケージの構造を示す図である。
【発明を実施するための形態】
【００１４】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の光モジュール用ケージの構造を示す図である。本実施形態の光モジュール用ケージ１は、光モジュール（図示せず）を挿入する開口部２と、前記光モジュールの有する係合凸部に係合する係合穴３を有する弾性片４と、前記開口部２に設けられ、前記弾性片４を反らせて前記係合穴３から前記係合凸部を解除する解除用ボタン５と、を有する。前記解除用ボタン５は、前記開口部２に沿ったスライド動作により前記弾性片４を反らせる。
【００１５】
本実施形態によれば、光モジュールの実装密度に依らずに、運用中の通信装置から光モジュールを取り外すことのできる光モジュール用ケージを提供することができる。
（第２の実施形態）
図２は、本発明の第２の実施形態の光モジュール用ケージ１ａの構造を示す図である。また、図３は、本実施形態の光モジュール用ケージ１ａの、解除用ボタン５ａを図示しない構造を示す図である。さらに、図４は、本実施形態の光モジュール用ケージ１ａの解除用ボタン５ａの構造を示す図である。図４では、解除用ボタン５ａの斜視図、正面図、側面図、上面図を示す。
【００１６】
光モジュール用ケージ１ａは、光モジュール（図示せず）を挿入する開口部２ａと、光モジュールの有する係合凸部（図示せず）に係合する係合穴３ａを有する弾性片４ａと、開口部２ａに設けられ、弾性片４ａを反らせて係合穴３ａから係合凸部を解除する解除用ボタン５ａとを有する。解除用ボタン５ａは、開口部２ａの開口面に沿ったスライド動作により弾性片４ａを反らせることにより、係合凸部を解除する。
【００１７】
光モジュールとしては、ＳＦＰトランシーバとすることができる。光モジュール１０はまた、１０  Ｇｉｇａｂｉｔ  Ｓｍａｌｌ  Ｆｏｒｍ  Ｆａｃｔｏｒ  Ｐｌｕｇｇａｂｌｅ（ＸＦＰと称す）トランシーバなどとすることもできる。
【００１８】
光モジュール用ケージ１ａは、プリント基板など(図示せず)に実装され、前記プリント基板は通信装置など（図示せず）の装置の筐体内に組み込まれる。開口部２ａは、装置の筐体９ａの前面パネルや側面などの表面を開口して設けることができる。
【００１９】
弾性片４ａは、第１の解除部６ａを有する。解除用ボタン５ａは、第１の解除部６ａに係合する第２の解除部７ａを有する。解除用ボタン５ａは、開口部２ａの開口面に沿ったスライド動作により、第１の解除部６ａと第２の解除部７ａとの係合を介して弾性片４ａを反らせる。第１の解除部６ａは解除用穴、第２の解除部７ａは解除用凸部とすることができる。第１の解除部６ａと第２の解除部７ａとは係合できればよいので、例えば、第１の解除部６ａを凸部、第２の解除部７ａを穴としてもよい。
【００２０】
弾性片４ａは、光モジュールの挿入時に、光モジュールの挿入の妨げとならない位置に第１の解除部６ａを設けられるように、下方向に延伸されている。弾性片４ａは、前記スライド動作によって、挿入されている光モジュールとは反対方向に反ることによって、光モジュールの係合凸部と弾性片４ａの係合穴３ａとの係合を解除する。
【００２１】
開口部２ａは切欠き部８ａを有する。切欠き部８ａは、筐体９ａの前面パネルなどに設けられた開口部２ａを延長して設けられる。解除用ボタン５ａは、切欠け部８ａを挟む構造とすることができる。図５に示すように、解除用ボタン５ａは切欠き部８ａに沿って上下にスライド動作をする。このスライド動作が、第１の解除部６ａと第２の解除部７ａとの係合を介して弾性体４ａを反らせ、光モジュールの係合凸部と弾性片４ａの係合穴３ａとの係合を解除する。
【００２２】
図６は、光モジュール用ケージ１ａの弾性片４ａの係合穴３ａ（図示せず）が、光モジュール１０の係合凸部１１と係合している様子を示す。また、図７は、光モジュール用ケージ１ａの弾性片４ａの係合穴３ａ（図示せず）が、光モジュール１０の係合凸部１１との係合を解除する様子を示す。
【００２３】
光モジュール用ケージ１ａの有する弾性片４ａの有する係合穴３ａと、光モジュール１０の有する係合凸部１１との係合の解除方法は、光モジュール１０を挿入する開口部２ａに設けられた解除用ボタン５ａを開口部２ａに沿ってスライド動作し、前記スライド動作により弾性片４ａを反らせて係合穴３ａから係合凸部１１を解除する。弾性片４ａは第１の解除部６ａを有し、解除用ボタン５ａは第１の解除部６ａに係合する第２の解除部７ａを有する。前記スライド動作は、第１の解除部６ａと第２の解除部７ａとの係合を介して弾性片４ａを反らせる。開口部２ａは切欠き部８ａを有し、解除用ボタン５ａは切欠き部８ａに沿って前記スライド動作をする。
【００２４】
図８は、複数の光モジュール用ケージ１ａ（解除用ボタン５ａの図示を省略）を横並びに並べて高密度実装した、連結型光モジュール用ケージの構造を示す。本実施形態の光モジュール用ケージ１ａは、ケージの側面に構造物を有しないため、図８のように、ケージ同志を密着させて高密度に実装することができる。
【００２５】
図９は、本実施形態の光モジュール用ケージ１ａを複数組み込んだ通信装置２０の構造を示す斜視図である。通信装置２０は、光モジュール用ケージ１ａの光モジュールを挿入する開口部２ａを、通信装置２０の筐体の前面パネルなどの表面に露出して設けることができる。一方で、光モジュール用ケージ１ａの側面や上下面や裏面は、通信装置２０の筐体内に隠して外部に露出させない。このような構成にしても、光モジュール用ケージ１ａの解除ボタン５ａは開口部２ａに沿って設けられているため（例えば、図２を参照）、通信装置２０の運用を停止して筐体を外すことなく、光モジュールの取り外しが可能である。
【００２６】
図１０は、本実施形態の光モジュール用ケージ１ａを複数かつ多段に組み込んだ通信装置２１の構造を示す斜視図である。通信装置２１は、光モジュール用ケージ１ａを複数実装した基板１２を多段化することで実現することができる。
【００２７】
以上のように、本実施形態によれば、光モジュールの実装密度に依らずに、運用中の通信装置から光モジュールを取り外すことのできる光モジュール用ケージを提供することができる。
（第３の実施形態）
図１１は、本発明の第３の実施形態の光モジュール用ケージ１ｂの構造を示す図である。また、図１２は、本実施形態の光モジュール用ケージ１ｂの、解除用ボタン５ｂを図示しない構造を示す図である。さらに、図１３は、本実施形態の光モジュール用ケージ１ｂの解除用ボタン５ｂの構成を示す図である。図１３では、解除用ボタン５ｂの斜視図、正面図、側面図、上面図を示す。
【００２８】
光モジュール用ケージ１ｂでは、開口部２ｂの有する切欠き部８ｂの構造が、第２の実施形態と異なる。切欠き部８ｂは、筐体９ｂの前面パネルなどの表面に設けられた開口部２ｂを延長して２か所に設けられている。このとき、弾性片４ｂの第１の解除部６ｂ（解除用穴）は、２か所の切欠き部８ｂに挟まれた筐体９ｂの部分により覆われている。解除用ボタン５ｂは、図１３のように、上下方向が空洞となる四面の側壁を有し、図１１のように、２か所の切欠き部８ｂに挟まれた筐体９ｂの部分を囲んで実装される。
【００２９】
解除用ボタン５ｂは切欠き部８ｂに沿って上下にスライド動作をする。このスライド動作が、第１の解除部６ｂ（解除用穴）と第２の解除部７ｂ（解除用凸部）との係合を介して弾性片４ｂを反らせ、光モジュールの係合凸部と弾性片４ｂの係合穴３ｂとの係合を解除する。
【００３０】
本実施形態の光モジュール用ケージ１ｂでは、解除用ボタン５ｂを組み込むか否かを選択することができる。すなわち、弾性片４ｂに設けられている第１の解除部６ｂ（解除用穴）は、２か所の切欠き部８ｂに挟まれた筐体９ｂの部分に覆われ、外部からは隠されている。よって、例えば、安全面などの要求から光モジュールを取り外せなくしたい場合、解除用ボタン５ｂを組み込まないことにより、第１の解除部６ｂ（解除用穴）の操作を外部から行うことができないようにすることができる。
【００３１】
本実施形態の光モジュール用ケージ１ｂにより、図９および図１０に示した通信装置を実現することができる。
【００３２】
以上のように、本実施形態によれば、光モジュールの実装密度に依らずに、運用中の通信装置から光モジュールを取り外すことのできる光モジュール用ケージを提供することができる。
（第４の実施形態）
図１４は、本発明の第４の実施形態の光モジュール用ケージ１ｃの構造を示す図である。光モジュール用ケージ１ｃでは、開口部２ｃの有する切欠き部８ｃの構造が、第２の実施形態と異なる。すなわち、切欠き部８ｃの幅は、弾性片４ｃの幅よりも狭く、第１の解除部６ｃ（解除用穴）が外部から見える程度である。
【００３３】
解除用ボタン（図示せず）は、第２の実施形態と同様に、切欠き部８ｃに沿って上下にスライド動作をする。このスライド動作が、第１の解除部６ｃ（解除用穴）と第２の解除部（解除用凸部）（図示せず）との係合を介して弾性片４ｃを反らせ、光モジュールの係合凸部と弾性片４ｃの係合穴３ｃとの係合を解除する。
【００３４】
本実施形態の光モジュール用ケージ１ｃでは、解除用ボタンを組み込むか否かを選択することができる。すなわち、本実施形態では、筐体９ｃに設けられた切欠き部８ｃを第１の解除部６ｃ（解除用穴）の近辺のみとしている。よって、例えば、安全面などの要求から光モジュールを取り外せなくしたい場合、解除用ボタンを組み込まないことにより、第１の解除部６ｃ（解除用穴）の操作を外部から行いにくくすることができる。
【００３５】
本実施形態の光モジュール用ケージ１ｃにより、図９および図１０に示した通信装置を実現することができる。
【００３６】
以上のように、本実施形態によれば、光モジュールの実装密度に依らずに、運用中の通信装置から光モジュールを取り外すことのできる光モジュール用ケージを提供することができる。
【００３７】
本発明は上記実施形態に限定されることなく、特許請求の範囲に記載した発明の範囲内で種々の変形が可能であり、それらも本発明の範囲内に含まれるものである。
【００３８】
また、上記の実施形態の一部又は全部は、以下の付記のようにも記載され得るが、以下には限られない。
【００３９】
付記
（付記１）
光モジュールを挿入する開口部と、
前記光モジュールの有する係合凸部に係合する係合穴を有する弾性片と、
前記開口部に設けられ、前記弾性片を反らせて前記係合穴から前記係合凸部を解除する解除用ボタンと、を有し、
前記解除用ボタンは、前記開口部に沿ったスライド動作により前記弾性片を反らせる、光モジュール用ケージ。
（付記２）
前記弾性片は第１の解除部を有し、
前記解除用ボタンは前記第１の解除部に係合する第２の解除部を有し、
前記解除用ボタンは、前記第１と第２の解除部の係合を介して前記弾性片を反らせる、付記１記載の光モジュール用ケージ。
（付記３）
前記第１の解除部は穴であり、前記第２の解除部は凸部である、付記２記載の光モジュール用ケージ。
（付記４）
前記開口部は切欠き部を有し、前記解除用ボタンは前記切欠き部に沿って前記スライド動作をする、付記１から３の内の１項記載の光モジュール用ケージ。
（付記５）
前記光モジュールはＳＦＰトランシーバを含む、付記１から４の内の１項記載の光モジュール用ケージ。
（付記６）
付記１から５の内の１項記載の光モジュール用ケージを実装する通信装置。
（付記７）
筐体を有し、前記筐体の表面に前記開口部を有する、付記６記載の通信装置。
（付記８）
前記光モジュール用ケージを複数実装する、付記６または７記載の通信装置。
（付記９）
光モジュール用ケージの有する弾性片の有する係合穴と、光モジュールの有する係合凸部との係合の解除方法において、
前記光モジュールを挿入する開口部に設けられた解除用ボタンを前記開口部に沿ってスライド動作し、
前記スライド動作により前記弾性片を反らせて前記係合穴から前記係合凸部を解除する、係合の解除方法。
（付記１０）
前記弾性片は第１の解除部を有し、
前記解除用ボタンは前記第１の解除部に係合する第２の解除部を有し、
前記スライド動作は、前記第１と第２の解除部の係合を介して前記弾性片を反らせる、付記９記載の係合の解除方法。
（付記１１）
前記第１の解除部は穴であり、前記第２の解除部は凸部である、付記１０記載の係合の解除方法。
（付記１２）
前記開口部は切欠き部を有し、前記切欠き部に沿って前記スライド動作をする、付記９から１１の内の１項記載の係合の解除方法。
（付記１３）
前記光モジュールはＳＦＰトランシーバを含む、付記９から１２の内の１項記載の係合の解除方法。
【符号の説明】
【００４０】
１、１ａ、１ｂ、１ｃ    光モジュール用ケージ
２、２ａ、２ｂ、２ｃ    開口部
３、３ａ、３ｂ、３ｃ    係合穴
４、４ａ、４ｂ、４ｃ    弾性片
５、５ａ、５ｂ    解除用ボタン
６ａ、６ｂ、６ｃ    第１の解除部
７ａ、７ｂ    第２の解除部
８ａ、８ｂ、８ｃ    切欠き部
９ａ、９ｂ、９ｃ    筐体
１０    光モジュール
１１    係合凸部
１２    基板
２０、２１    通信装置
【図１】
0006426461.tif 000002
【図２】
0006426461.tif 000003
【図３】
0006426461.tif 000004
【図４】
0006426461.tif 000005
【図５】
0006426461.tif 000006
【図６】
0006426461.tif 000007
【図７】
0006426461.tif 000008
【図８】
0006426461.tif 000009
【図９】
0006426461.tif 000010
【図１０】
0006426461.tif 000011
【図１１】
0006426461.tif 000012
【図１２】
0006426461.tif 000013
【図１３】
0006426461.tif 000014
【図１４】
0006426461.tif 000015